(57)【要約】      （修正有）【課題】持ち手の付いていない紙袋をさらにレジ袋で包装するような重複包装を回避する技術を提供する。【解決手段】本発明に係る把手部材１０は，互いに連接した第一片１及び第二片２と，第一片１と第二片２の境界に形成された中折線３と，第一片１及び第二片２のそれぞれに形成された指掛孔４と，第一片１及び第二片２の両方又はいずれか一方に設けられた接着手段５と，を有し，これにより，接着手段５を対象物Ｐに接着して使用される。【選択図】図２
2015027881.tif 000002
【特許請求の範囲】
【請求項１】
運搬の対象物に取り付けて使用される把手部材であって，
互いに連接した第一片（１）及び第二片（２）と，
前記第一片（１）と前記第二片（２）の境界に形成された中折線（３）と，
前記第一片（１）及び前記第二片（２）のそれぞれに形成された指掛孔（４）と，
前記第一片（１）及び前記第二片（２）の両方又はいずれか一方に設けられた接着手段（５）と，を有し，
前記接着手段（５）を前記対象物に接着して使用される
把手部材。
【請求項２】
前記把手部材を分断するための切断誘導線（６）を，さらに有する
請求項１に記載の把手部材。
【請求項３】
前記切断誘導線（６）は，前記中折線（３）上に設けられたミシン目線である
請求項２に記載の把手部材。
【請求項４】
前記切断誘導線（６）の一端又は両端に形成された切欠き（７）を，さらに有する
請求項３に記載の把手部材。
【請求項５】
前記第一片（１）と前記第二片（２）を折り重ねされた状態で係合させるための係合手段（８）を，さらに備える
請求項１から請求項４のいずれかに記載の把手部材。
【発明の詳細な説明】
【技術分野】
【０００１】
本発明は，対象物を運搬する際に，その対象物に取り付けて使用される把手部材に関する。より具体的に説明すると，本発明の把手部材は，持ち手の付いてない紙袋などに取り付けて使用されるものであり，紙袋の運搬を容易にするだけでなく，紙袋の封緘機能をも備えている。
【背景技術】
【０００２】
従来から，百貨店や，量販店，小売店，ファーストフード店など販売店においては，商品を持ち手の付いてない紙袋に入れて簡易的に包装し，購入者に対して受け渡すことがある。例えば，販売店では，商品の大きさや，商品の重量，その他商品の特性を考慮して，簡易な包装で十分である場合には，角底紙袋などの紙製包装袋を使用している。
【先行技術文献】
【特許文献】
【０００３】
【特許文献１】特開平１１−３４８１５３号公報
【発明の概要】
【発明が解決しようとする課題】
【０００４】
ところで，販売店側は，紙袋によって商品を包装した場合であっても，その紙袋に持ち手が付いておらず不便であることから，紙袋をさらにポリエチレン製などのレジ袋に入れて，購入者に受け渡すことも多い。しかし，商品を紙袋に入れて，さらに紙袋をレジ袋に入れるような包装形態では，重複包装となり，廃棄するゴミが増えるばかりか，紙袋とレジ袋を分別して廃棄する必要が生じるなどの手間が生じる。また，紙製の包装袋とポリエチレン製のレジ袋が同じゴミ箱に廃棄された場合，それらをリサイクルすることも難しくなる。
【０００５】
ここで，例えば，特許文献１には，包装袋とは別体で製造される紙製補助把手が開示されている。しかし，特許文献１の補助把手は，ビニール袋などの手で掴む部分に取り付けて使用されるものである。このような従来の補助把手では，上記したような包装袋とレジ袋の重複包装に起因する種々の問題を解決することはできない。
【０００６】
このため，現在では，持ち手の付いていない紙袋をさらにレジ袋で包装するような重複包装を回避することができ，しかも，紙袋の封緘作業や，廃棄時の分別作業，リサイクル作業を容易に行うことのできる新しい技術が求められている。
【課題を解決するための手段】
【０００７】
そこで，本発明の発明者らは，上記の問題点を解決する手段について鋭意検討した結果，利用者の手指が挿通する指掛孔を有する把手部材に，両面テープなどの接着部を設け，この把手部材を，運搬対象である紙袋などに取り付けて使用するという構造を発案した。すなわち，持ち手の付いていない紙袋であっても，この把手部材を取り付けることで，簡単に運搬することができる。また，把手部材を紙袋に取り付けることで，この紙袋をさらにレジ袋で包装するといったような重複包装を回避できる。さらに，把手部材を紙製とすれば，紙袋の廃棄する際に，紙袋と把手部材を分別する必要がなく，またリサイクルを行うことも容易である。そして，本発明者らは，上記知見に基づけば，従来技術の課題を解決できることに想到し，本発明を完成させた。
具体的に説明すると，本発明は以下の構成を有する。
【０００８】
本発明は，運搬の対象物（例えば紙袋Ｐ）に取り付けて使用される把手部材１０である。
本発明の把手部材１０は，第一片１と，第二片２と，中折線３と，指掛孔４と，接着手段５を，有している。
第一片１と第二片２は，例えば把手部材１０の長手方向に，互いに連接している。
中折線３は，第一片１と第二片２の境界に形成された折線であり，第一片１と第二片２の連接方向と直交する方向（例えば把手部材１０の短手方向）に延びている。
指掛孔４は，第一片１と第二片２のそれぞれに形成された開口である。把手部材１０が中折線３において折り畳まれ，第一片１と第二片２とが折り重ねられた状態において，第一片１に形成された指掛孔４と，第二片２に形成された指掛孔４とは，互いに連通して一つの開口を形成するようになっている。
接着手段５は，第一片１及び第二片２の両方に設けられていてもよいし，第一片１及び第二片２の一方に設けられていてもよい。接着手段５は，第一片１及び／又は第二片２の内面に設けられる。なお，ここにいう「内面」とは，第一片１と第二片２のうち，対象物に対向する面である。
そして，本発明の把手部材１０は，接着手段５を対象物に接着することによって，対象物に取り付けて使用される。
【０００９】
上記構成のように，本発明の把手部材１０は，基本的に，持ち手の付いていない紙袋などに取り付けて使用されるものである。例えば，把手部材１０は，第一片１と第二片２に設けられた接着手段５を紙袋に接着するという簡単な作業で取り付けることができる。従って，本発明の把手部材１０を利用すれば，紙袋をレジ袋で包装する必要がなくなり，重複包装による種々の問題を解消できる。また，把手部材１０は，中折線３を介して連接された第一片１と第二片２を有するため，例えば，上部に取出口を有する角底紙袋に取り付けることで，その角底紙袋の上部を挟み込み，取出口を封緘することができる。このように，本発明の把手部材１０は，紙袋の封緘機能を併せ持っている。従って，本発明の把手部材１０を利用すれば，従来紙袋の取出口を封緘するのに使用していた封緘シール等が不要になる。さらに，例えば，把手部材１０を，搬送の対象物である紙袋と同じ紙製とすることにより，紙袋を廃棄する際に，把手部材１０を紙袋から取り外して分別するような煩雑な作業が不要となる。
【００１０】
本発明の把手部材１０は，この把手部材を分断するための切断誘導線６を，さらに有することが好ましい。切断誘導線６の例は，ミシン目，帯状のジッパー，及びハの字状のジッパーである。切断誘導線６は，直線状であってもよいし，円弧状，波線状，屈曲線状，斜線状のいずれであってもよい。切断誘導線６は，把手部材１０を，中折線３の延びる方向に沿って分断するものであることが好ましい。
【００１１】
上記構成のように，把手部材１０に切断誘導線６を設けることで，例えば上部に取出口を持つ紙袋を開封しようとする際に，把手部材１０を切断誘導線６に沿って破断させるだけで，簡単に紙袋の開封することができる。すなわち，紙袋の開封にあたり，その紙袋から把手部材１０を取り外す必要がなくなる。
【００１２】
本発明の把手部材１０において，切断誘導線６は，中折線３上に設けられたミシン目線であることが好ましい。
【００１３】
上記構成のように，切断誘導線６を中折線３上に設けることで，より簡単に把手部材１０が取り付けられた紙袋の開封を行うことができる。また，把手部材１０を製造するにあたり，中折線３と切断誘導線６とを同一の工程で同時に形成できるため，より簡単に把手部材１０を製造することが可能となる。
【００１４】
本発明の把手部材１０は，切断誘導線６の一端又は両端に形成された切欠き７を，さらに有することが好ましい。
【００１５】
上記構成のように，切断誘導線６の一端側又は両端側に切欠き７を形成しておくことで，切断誘導線６に沿った把手部材１０の分断が容易になる。
【００１６】
本発明の把手部材１０は，第一片１と第二片２を折り重ねされた状態で係合させるための係合手段８を，さらに備えることが好ましい。
【００１７】
上記構成のように，把手部材１０が第一片１と第二片２の係合手段８を備えることで，例えば，切断誘導線６に沿って把手部材１０を分断した場合であっても，この係合手段８を利用して，再度，第一片１と第二片２を連結することが可能となる。このため，把手部材１０が取り付けられた紙袋を再封緘することができる。また，把手部材１０に係合手段８を設けることで，第一片１と第二片２のいずれか一方に接着手段５を設ければ，十分に紙袋の封緘と運搬を行うことが可能となる。このため，把手部材１０の製造コストを抑えることもできる。
【発明の効果】
【００１８】
本発明の把手部材１０を利用すれば，持ち手の付いていない紙袋をさらにレジ袋で包装するような重複包装を回避することができる。また，本発明の把手部材１０を利用すれば，紙袋の封緘作業や，廃棄時の分別作業，リサイクル作業が容易になる。
【図面の簡単な説明】
【００１９】
【図１】図１は，第１の実施形態に係る把手部材の例を示す展開図である。
【図２】図２は，第１の実施形態に係る把手部材の例を示す斜視図である。
【図３】図３は，第１の実施形態に係る把手部材の例を示す斜視図である。
【図４】図４は，第２の実施形態に係る把手部材の例を示す展開図である。
【図５】図５は，第３の実施形態に係る把手部材の例を示す展開図である。
【図６】図６は，第４の実施形態に係る把手部材の例を示す展開図である。
【図７】図７は，第５の実施形態に係る把手部材の例を示す斜視図である。
【図８】図８は，第５の実施形態に係る把手部材の例を示す断面図である。
【図９】図９は，第６の実施形態に係る把手部材の例を示す斜視図である。
【図１０】図１０は，第６の実施形態に係る把手部材の例を示す断面図である。
【図１１】図１１は，第７の実施形態に係る把手部材の例を示す斜視図である。
【発明を実施するための形態】
【００２０】
以下，図面を用いて本発明を実施するための形態について説明する。本発明は，以下に説明する形態に限定されるものではなく，以下の形態から当業者が自明な範囲で適宜修正したものも含む。
【００２１】
（１．第１の実施形態）
まず，図１から図３を参照して，本発明の第１の実施形態について説明する。
図１は，本発明の第１の実施形態に係る把手部材１０を，内面側から見た状態を示す展開図である。図２は，第１の実施形態に係る把手部材１０を，紙袋Ｐに取り付けた状態を示す斜視図である。図３は，第１の実施形態に係る把手部材１０を分断させて，紙袋Ｐを開封した状態を示す斜視図である。本願の図では，把手部材１０の内面と外面の区別を分かりやすく示すために，把手部材１０の内面を薄灰色で示し，把手部材１０の外面を白色で示している。なお，内面とは，把手部材１０を運搬の対象である対象物（紙袋Ｐ）に取り付けた際に，その対象物と接触する側の面を意味する。また，外面とは，内面と反対側の面を意味している。
【００２２】
本発明において，把手部材１０は，一枚のシート部材から構成されるものであることが好ましい。把手部材１０を構成するシート部材の種類は，特に限定されないが，例えば，紙製，プラスチック製，木製，及び金属製を挙げることができる。ただし，把手部材１０は，運搬の対象物と同種の素材で形成されていることが好ましい。例えば，図２及び図３に示されるように，運搬の対象物が紙袋Ｐである場合，把手部材１０は紙製とすることが好ましい。紙製の把手部材１０は，例えば，厚紙や，段ボールシートによって製造することができる。なお，本発明に係る把手部材１０を取り付ける紙袋Ｐの大きさは，一般的に使用されるサイズの物であればよい。例えば，紙袋Ｐは，一般的な角底紙袋（Ｗ１２０／ｍ〜２００ｍ／ｍ，  Ｈ２３０ｍ／ｍ〜４００ｍ／ｍ）を使用することができる。
【００２３】
図１の展開図に示されるように，把手部材１０は，第一片１と第二片２が連接した形状となっている。図１に示された形態において，第一片１と第二片２の連接方向は，把手部材１０の長手方向に相当する。ただし，図示は省略するが，第一片１と第二片２の連接方向は，把手部材１０の幅方向に相当していてもよい。また，本実施形態において，第一片１と第二片２の形状は，互いに略矩形状である。ただし，第一片１と第二片２は，略矩形状に限らず，円形，半円形，その他曲線を有する形状，三角形，五角形，その他多角形状であってもよい。また，第一片１と第二片２は，互いに異なる形状であってもよい。
【００２４】
また，第一片１と第二片２の境界には，中折線３が形成されている。図１に示された形態において，中折線３は，第一片１と第二片２の連接方向と直交する方向に延びる直線的な折線である。このため，把手部材１０を中折線３に沿って折り畳むことで，第一片１と第二片２の内面同士が当接して折り重なる。また，本実施形態において，中折線３上には，切断誘導線６が形成されている。すなわち，本実施形態において，中折線３と切断誘導線６が一体になっている。換言すると，切断誘導線６が，中折線３として機能する。本実施形態において，切断誘導線６は，直線状に延びるミシン目である。このため，切断誘導線６に沿って把手部材１０を分断することで，第一片１と第二片２が分離する。
【００２５】
また，第一片１と第二片２には，それぞれ，指掛孔４が形成されている。第一片１の指掛孔４と，第二片２の指掛孔４は，中折線３に沿って把手部材１０を折り畳んだ状態において，互いに連通して一つの開口をなす位置に形成されている。このため，把手部材１０を折り畳んだ状態においては，第一片１の指掛孔４と第二片２の指掛孔４の両方に，手指を挿入することができるようになっている。このように，利用者は，第一片１の指掛孔４と第二片２の指掛孔４に手指を挿入して，把手部材１０を把持する。
【００２６】
また，本実施形態において，第一片１と第二片２の内面には，それぞれ，接着手段５が設けられている。接着手段５は，第一片１と第二片２の内面のどの位置に設けられていてもよいが，図１に示されるように，第一片１と第二片２の端部近傍に設けられていることが好ましい。特に，第一片１と第二片２の連接方向（把手部材１０の長手方向）に見たときに，接着手段５は，指掛孔４よりも外側の位置に設けられていることが好ましい。すなわち，接着手段５は，指掛孔４と中折線３の間の領域以外の領域に，設けられていればよい。接着手段５の例は，両面テープ，ホットメルト接着剤，及びその他の粘着剤である。接着手段５として両面テープを採用する場合，その粘着層を被覆するように，剥離シートを貼合しておくことが好ましい。また，ホットメルト接着剤は，熱溶融性を有する接着剤である。このため，ホットメルト接着剤が塗布された把手部材１０を，紙袋Ｐに取り付ける際には，把手部材１０のホットメルト接着剤を，公知のアイロンなどを利用して加熱して溶融させてから，紙袋Ｐに接着すればよい。
【００２７】
また，本実施形態において，切断誘導線６（中折線３）の左右両端側には，切欠き７が形成されている。切欠き７を設けることで，切断誘導線６に沿って，把手部材１０を分断しやすくなる。
【００２８】
上記構成を有する把手部材１０は，図２に示されるように，紙袋Ｐに取り付けられる。すなわち，把手部材１０の内面に設けられた接着手段５を，紙袋Ｐの外面に接着する。このとき，把手部材１０の第一片１と第二片２とにより，紙袋Ｐを挟み込むように接着する。また，紙袋Ｐの上部に取出口が存在する場合，その取出口を閉じるようにして，紙袋Ｐの上部を折り返し，その折り返した状態で，紙袋Ｐの上部に把手部材１０を取り付けるとよい。これにより，紙袋Ｐの上部の折り返し部分を留め付けておくための封緘シールが不要となる。すなわち，紙袋Ｐの上部に把手部材１０を取り付けることで，紙袋Ｐを封緘しておくことができる。紙袋Ｐに把手部材１０を取り付けた状態で，把手部材Ｐの指掛孔４に手指を通せば，利用者は，持ち手のない紙袋Ｐであっても容易に運搬することができる。また，紙袋Ｐに把手部材１０を取り付けることで，この紙袋Ｐをさらにレジ袋で包装するような重複包装を回避することができる。
【００２９】
また，紙袋Ｐの内部に収納された商品などを取り出す際には，図３に示されるように，把手部材１０を切断誘導線６に従って分断する。これにより，紙袋Ｐの上方が開かれる。また，把手部材１０の分離された第一片１と第二片２を引っ張れば，紙袋Ｐの上部の取出口を大きく開けることができるため，紙袋Ｐ内から商品等を取り出す作業も容易になる。紙袋Ｐから商品を取り出し終え，紙袋Ｐが不要となった場合には，把手部材１０が取り付けられたままの状態で紙袋Ｐを廃棄すればよい。紙袋Ｐと把手部材１０は共に紙製であるため，分別する必要はなく，またリサイクルも容易である。
【００３０】
（２．第２の実施形態）
図４は，本発明の第２の実施形態に係る把手部材１０を示した展開図である。図４に示された第２の実施形態は，図１に示された第１の実施形態と大きく異なる点はないが，指掛孔４の形状や，切欠き７の形状が改良されている。図４に示した形態のように，指掛孔４の形状を角を丸くした矩形としたり，切欠き７の形状を大きくすることも可能である。
【００３１】
（３．第３の実施形態）
図５は，本発明の第３の実施形態に係る把手部材１０を示した展開図である。図５に示された第３の実施形態は，第１の実施形態とは異なり，第一片１と第二片２の境界に形成された中折線３と，把手部材１０を分断するための切断誘導線６が，別に形成されている。なお，本願の図において，切れ目とは別に形成された折線は，二重線で示している。図５に示されるように，第３の実施形態では，切断誘導線６が，ハの字状に形成されたジッパー型切目線となっており，この切目線が，第二片２の指掛孔４に達している。なお，ここにいうジッパー型の切目線とは，鉤状の切目が間欠的に連続する切目線を意味する。切断誘導線６は，図５に示されるような，ハの字状に形成されたジッパー型切目線であっても，把手部材１０を分断することができる。
【００３２】
（４．第４の実施形態）
図６は，本発明の第４の実施形態に係る把手部材１０を示した展開図である。図６に示された第４の実施形態は，第１の実施形態とは異なり，第一片１と第二片２の境界に形成された中折線３と，把手部材１０を分断するための切断誘導線６が，別に形成されている。すなわち，第４の実施形態では，第二片２に，帯状のジッパー型切目線が形成されている。帯状のジッパー型切目線は，第一片１と第二片２の連結方向と直交する方向（把手部材１０の短手方向）に直線的に延びる。特に，本実施形態において，帯状のジッパー型切目線は，第二片２の指掛孔４と第二片２の接着手段５の間の領域に形成されている。切断誘導線６は，図６に示されるような，帯状に形成されたジッパー型切目線であっても把手部材１０を分断することができる。
【００３３】
（５．第５の実施形態）
図７は，本発明の第５の実施形態に係る把手部材１０を示した斜視図である。図７（ａ）は，把手部材１０の展開状態を示し，図７（ｂ）は，把手部材１０を中折線３で折り畳んだ状態を示している。図７に示した第５の実施形態は，第１の実施形態とは異なり，第一片１と第二片２を係合させる係合手段８を備えている。また，図７に示した第５の実施形態は，第１の実施形態とは異なり，第一片１には接着手段５が設けられておらず，第二片２にのみ接着手段５が設けられている。また，図７に示した第５の実施形態では，第１の実施形態とは異なり，切断誘導線６が形成されていない。
【００３４】
図７（ａ）に示されるように，第５の実施形態において，係合手段８は，第二片２の指掛孔４内に形成されたフラップ部８ａによって形成されている。フラップ部８ａは，一辺の折線と他の切り込み線によって囲われることで画定された部分であり，一辺の折線のみを介して第二片２に連接している。例えば，フラップ部８ａを形成するためには，第二片２の指掛孔４を形成する際に，第二片２を形成するシート部材をくり抜くのではなく，一辺だけが第二片２に繋がった状態となるように，切り込み線を形成すればよい。特に，フラップ部８ａは，図７（ａ）に示されるように，第二片２の指掛孔４の上部において，第二片２と繋がったものであることが好ましい。
【００３５】
図７（ｂ）に示されるように，中折線３において把手部材１０を折り畳み，第一片１と第二片２を重ね合わせると，第二片２の指掛孔４内に設けられたフラップ部８ａは，第一片１の指掛孔４内を挿通するようになっている。ここで，図８は，第二片２の指掛孔４内に設けられたフラップ部８ａが第一片１の指掛孔４内を挿通する様子を断面図で示している。図８の断面図に示されるように，第二片２に設けられたフラップ部８ａは，第一片１側に折れ曲がり，第一片１の指掛孔４内を通って，外部へと突出する。このため，第二片２に設けられたフラップ部８ａを，第一片１側へと折り込むことで，第一片１と第二片２を折り重ねた状態で係合させることが可能となる。また，フラップ部８ａは，利用者が，把手部材１０を把持する際の持ち手となる。すなわち，フラップ部８ａを折り込むことで，把手部材１０が持ち手部分の厚みが増し，紙袋などを持ち易くなる。
【００３６】
このように，第一片１と第二片２を係合させるための係合手段８（フラップ部８ａ）を形成することで，例えば，第一片１と第二片２の片方に接着手段５を設ければ，紙袋Ｐなどの対象物を適切に運搬できるようになる。また，把手部材１０に切断誘導線６を形成しなくても，第一片１と第二片２の係合状態を解除することで，紙袋Ｐなどを容易に開封することができるようになる。
【００３７】
（６．第６の実施形態）
図９は，本発明の第６の実施形態に係る把手部材１０を示した斜視図である。図９（ａ）は，把手部材１０の展開状態を示し，図９（ｂ）は，把手部材１０を中折線３で折り畳んだ状態を示している。図９に示した第６の実施形態は，第１の実施形態とは異なり，第一片１と第二片２を係合させる係合手段８を備えている。また，図９に示した第６の実施形態は，第１の実施形態とは異なり，第一片１には接着手段５が設けられておらず，第二片２にのみ接着手段５が設けられている。また，図９に示した第６の実施形態では，第１の実施形態とは異なり，切断誘導線６が形成されていない。
【００３８】
図９（ａ）に示されるように，第６の実施形態において，係合手段８は，第一片１に形成された舌部８ｂと，舌部８ｂの左右両側に形成された谷折線８ｃと，第二片２に形成された舌部８ｂを差し込むための差込孔８ｄを有している。舌部８ｂを形成するためには，例えば，第一片１に円弧状又はコの字型の切れ込みを形成すればよい。舌部８ｂは，把手部材１０を紙袋Ｐなど対象物に取り付ける際に，上方に向かって突出する形状であることが好ましい。谷折線８ｃは，舌部８ｂを突出させ易くするために設けられた折線である。特に，谷折線８ｃは，中折線３とは逆方向に山型となる折線となっている。このため，第一片１と第二片２を重ね合わせた状態で，谷折線８ｃに従って第一片１を折り曲げることで，舌部８ｂは，第二片２と対向する側（内側）に向かって突出するようになる。第二片２に形成された差込孔８ｄには，第一片１に形成された舌部８ｂが差し込まれる。
【００３９】
図９（ｂ）に示されるように，中折線３において把手部材１０を折り畳み，第一片１と第二片２を重ね合わせることで，第一片１の舌部８ｂを第二片２の差込孔８ｄに差し込むことができるようになる。ここで，図１０には，差込孔８ｄに舌部８ｂが差し込まれた状態が断面図で示されている。図１０に示されるように，第一片１を，谷折線８ｃに従って折り曲げることで，舌部８ｂが，第二片２側に向かって突出する。そして，第一片１を谷折線８ｃで折り曲げた状態で，舌部８ｂを，第二片２の差込孔８ｄに差し込む。これにより，第一片１と第二片２を折り重ねた状態で係合させることが可能となる。
【００４０】
このように，第一片１と第二片２を係合させるための係合手段８（舌部８ｂ，谷折線８ｃ，差込孔８ｄ）を形成することで，例えば，第一片１と第二片２の片方に接着手段５を設ければ，紙袋Ｐなどの対象物を適切に運搬できるようになる。また，把手部材１０に切断誘導線６を形成しなくても，第一片１と第二片２の係合状態を解除することで，紙袋Ｐなどを容易に開封することができるようになる。
【００４１】
（７．第７の実施形態）
図１１は，本発明の第７の実施形態に係る把手部材１０を示した斜視図である。図１１（ａ）は，第７の実施形態の基本形を示し，図１１（ｂ）は，第７の実施形態の変形例を示している。図１１に示されるように，第７の実施形態に係る把手部材１０は，第１の実施形態と同様に，把手部材１０を分断するための切断誘導線６が形成されていると共に，第一片１と第二片２のそれぞれに接着手段５が設けられている。他方，第７の実施形態に係る把手部材１０は，第１の実施形態とは異なり，第一片１と第二片２を係合させる係合手段８を備えている。
【００４２】
図１１（ａ）に示された例では，切断誘導線６は，第一片１と第二片２の境界に位置する中折線３上に形成されている。また，第一片１と第二片２のそれぞれに，接着手段５が設けられている。このような形態であっても，図１１（ａ）に示すように，係合手段８を設けることができる。本実施形態に示した係合手段８は，図７に示した第５の実施形態と同様に，フラップ部８ａによって形成されている。なお，図示は省略するが，係合手段８としては，図９の第６の実施形態で示した舌部８ｂ，谷折線８ｃ，及び差込孔８ｄを採用することも可能である。
【００４３】
本実施形態のように，把手部材１０に，切断誘導線６を設けつつ，係合手段８をも設けることで，例えば，切断誘導線６に従って第一片１と第二片２一度分離した後であっても，係合手段８を利用して，再度，第一片１と第二片２を係合させることができる。従って，切断誘導線６に従って第一片１と第二片２を分離させて，紙袋Ｐを開封した後にも，係合手段８を利用して第一片１と第二片２を係合させれば，紙袋Ｐを再封緘できることとなる。このため，本実施形態は，運搬の対象物である紙袋Ｐの開封と封緘を繰り返すような場合には，利便性が高いものとなる。
【００４４】
また，図１１（ｂ）には，図１１（ａ）に示した把手部材１０の変形例が示されている。図１１（ｂ）に示されるように，把手部材１０の第二片２内に形成されたフラップ部８ａの内面に，再封緘用接着手段９を設けることとしてもよい。第二片２のフラップ部８ａに設けられた再封緘用接着手段９は，第一片１と第二片２を係合したときに，第一片１の外面に接着される。例えば，第一片１と第二片２の間の切断誘導線６が破断される前の状態においては，再封緘用接着手段９としての両面テープを剥離シートで覆っておく。その後，第一片１と第二片２の間の切断誘導線６が破断される。そして，第一片１と第二片２を再度係合させる必要が生じた際に，再封緘用接着手段９を覆っている剥離シートを剥がし，再封緘用接着手段９を利用して，第一片１と第二片２を接着する。これにより，把手部材１０が取り付けられている包装袋をより効果的に再封緘することができる。
【００４５】
以上，本願明細書では，本発明の内容を表現するために，図面を参照しながら本発明の実施形態の説明を行った。ただし，本発明は，上記実施形態に限定されるものではなく，本願明細書に記載された事項に基づいて当業者が自明な変更形態や改良形態を包含するものである。
例えば，本願明細書では，把手部材１０が取り付ける対象物として，紙袋を例に挙げて説明を行ったが，対象物は紙袋に限られるものではない。把手部材１０が取り付ける対象物は，包装袋に限定されるものではなく，把手部材１０は，例えばティッシュボックスや段ボール箱など，持ち手を有しない種々の物品に取り付けて使用することが可能である。
【産業上の利用可能性】
【００４６】
本発明は，持ち手の付いてない紙袋などに取り付けて使用される紙製の把手部材に関するものである，このため，本発明は，紙製品の製造産業などにおいて好適に利用し得る。
【符号の説明】
【００４７】
１…第一片              ２…第二片              ３…中折線
４…指掛孔              ５…接着手段            ６…切断誘導線
７…切欠き              ８…係合手段            ８ａ…フラップ部
８ｂ…舌部              ８ｃ…谷折線            ８ｄ…差込孔
９…再封緘用接着手段    １０…把手部材          Ｐ…対象物（紙袋）
【図１】
2015027881.tif 000003
【図２】
2015027881.tif 000004
【図３】
2015027881.tif 000005
【図４】
2015027881.tif 000006
【図５】
2015027881.tif 000007
【図６】
2015027881.tif 000008
【図７】
2015027881.tif 000009
【図８】
2015027881.tif 000010
【図９】
2015027881.tif 000011
【図１０】
2015027881.tif 000012
【図１１】
2015027881.tif 000013